(57)【特許請求の範囲】
【請求項１】
容器本体の口部上端との間が環状のシール部材を介して封止されるボディを有し、当該ボディのシリンダに配置されたピストンを、レバーの牽曳及び復帰の繰り返しによって動作させ、注出口から内容物を噴出させるトリガー式液体噴出容器であって、
前記ボディに、容器本体の口部上端に形作られた開口部を通して内容物の充填空間を外界に通じさせる貫通孔と、当該貫通孔と外界との間を切断可能な薄肉部を介して密封する封止栓とを設けると共に、シール部材の内周縁を容器本体の開口部の内側に延在させて変形及び復元の可能な環状の弾性片を形成し、当該弾性片で前記貫通孔を開閉可能に閉じたことを特徴とするトリガー式液体噴出容器。
【請求項２】
請求項１において、封止栓に摘みを設けたことを特徴とするトリガー式液体噴出容器。
【請求項３】
請求項２において、ボディに、摘みを配置する凹部を設けたことを特徴とするトリガー式液体噴出容器。
【請求項４】
請求項１乃至３のいずれか１項において、ボディに、容器の口部に装着するための装着部を一体に設けたことを特徴とするトリガー式液体噴出容器。
【発明の詳細な説明】
【技術分野】
【０００１】
本発明は、レバーの牽曳及び復帰の繰り返しによって内容物を外界に噴出させるトリガー式液体噴出容器に関するものである。
【背景技術】
【０００２】
トリガー式液体噴出容器は、容器本体の口部上端との間が環状のシール部材を介して封止されるボディを有し、当該ボディのシリンダに配置されたピストンを、レバーの牽曳及び復帰の繰り返しによって動作させることで、噴出口から内容物を噴出させることから、内容物が噴射されるに従い、容器本体内の圧力が低下する場合がある。このため、従来のトリガー式液体噴出容器としては、ボディに、内容物の充填空間を外界に通じさせる貫通孔を形成することで、容器本体の口部上端に形作られた開口部を通して、外界との空気置換を行うものがある（例えば、特許文献１参照）。
【先行技術文献】
【特許文献】
【０００３】
【特許文献１】特開２００６−２０５０４５号公報
【発明の概要】
【発明が解決しようとする課題】
【０００４】
しかしながら、従来のトリガー式液体噴出容器は、その空気置換が貫通孔を通してなされているため、内容物の充填空間が常時外界に開放されている状態にある。このため、従来のトリガー式液体噴出容器は、内容物を圧送するための圧力の確保に改善の余地がある。
【０００５】
本発明の目的とするところは、容器本体の充填空間が常時外界に開放されることなく、密閉性に優れることで、内容物の噴出も良好な、新規なトリガー式液体噴出容器を提供することにある。
【課題を解決するための手段】
【０００６】
本発明は、容器本体の口部上端との間が環状のシール部材を介して封止されるボディを有し、当該ボディのシリンダに配置されたピストンを、レバーの牽曳及び復帰の繰り返しによって動作させ、噴出口から内容物を噴出させるトリガー式液体噴出容器であって、
前記ボディに、容器本体の口部上端に形作られた開口部を通して内容物の充填空間を外界に通じさせる貫通孔と、当該貫通孔と外界との間を切断可能な薄肉部を介して密封する封止栓とを設けると共に、シール部材の内周縁を容器本体の開口部の内側に延在させて変形及び復元の可能な環状の弾性片を形成し、当該弾性片で前記貫通孔を開閉可能に閉じたことを特徴とするものである。
【０００７】
本発明によれば、封止栓に摘みを設けることができる。この場合、ボディに、摘みを配置する凹部を設けることができる。
【０００８】
更に、ボディには、容器の口部に装着するための装着部を一体に設けることができる。
【発明の効果】
【０００９】
本発明によれば、ボディに形成した貫通孔は、封止栓で封止されていることから、流通段階などの未使用においては、容器本体の充填空間が外界に開放されることがない。
【００１０】
また、使用開始時においては、ボディから封止栓をもぎり取ることで、ボディに貫通孔を形成することできる。しかも、シール部材の内周縁を口部上端の開口部の内側に延在させて環状の弾性片を形成し、当該弾性片で貫通孔を開閉可能に閉じているので、封止栓をもぎり取っただけでは、依然として、容器本体の充填空間が外界に開放されることがない。
【００１１】
これに対し、レバーの牽曳及び復帰の繰り返しによって、噴出口から内容物を噴出させるのに伴い充填空間内の圧力が低下すれば、その負圧によって、シール部材の内周縁で構成された環状の弾性片が変形して貫通孔を開くことで、外界との空気置換を行うことができる。しかも、外界との空気置換によって、充填空間内の圧力が上昇すれば、弾性片の復元が復元して貫通孔を閉じることで、再び、充填空間が外界に開放されることがない。
【００１２】
従って、本発明によれば、容器本体の充填空間が常時外界に開放されることなく、密閉性に優れることで、内容物の噴出も良好なものとなる。
【図面の簡単な説明】
【００１３】
【図１】本発明である、トリガー式液体噴出容器の一形態である、トリガー式噴霧容器を示す要部斜視図である。
【図２】同形態に係る噴霧器を示す正面図である。
【図３】同噴霧器を示す左側面図である。
【図４】同噴霧器の未使用状態を示す平面図である。
【図５】同噴霧器の開封状態を示す平面図である。
【図６】同形態を図４のＸ−Ｘ断面で示す要部断面図である。
【図７】同形態に係るポンプユニットを、レバー、付勢部材及びポンプ本体に分解して示す分解図である。
【発明を実施するための形態】
【００１４】
以下、図面を参照して、本発明の一形態である、トリガー式噴霧容器１を詳細に説明する。
【００１５】
図１に示すトリガー式噴霧容器１は、例えば、整髪料等を内溶液とし、符号２は、内溶液の充填空間Ｃ1を形成する胴部３を有する合成樹脂製の容器本体である。容器本体２は、図６に示すように、胴部３に肩部４を介して一体に繋がる口部５を有し、この口部上端５ｅに、充填空間Ｃ1に通じる開口部Ａ1を形作る。
【００１６】
符号Ｐは、開口部Ａ1を通して充填空間Ｃ1の内溶液を噴出させるためのポンプユニットである。ポンプユニットＰは、口部上端５ｅとの間が、Ｏリング等の、環状のシール部材２０を介して封止されるボディ６を有する。
【００１７】
ボディ６は、本体（以下、「ボディ本体」）６ａを有し、このボディ本体６ａに、内溶液を吸引、加圧、圧送するためのシリンダ６ｂが一体に設けられている。シリンダ６ｂは、ボディ本体６ａの内側に形成された通路ｒ1に対して開口部Ａ2を通して繋がり、通路ｒ1に配置された、ボール弁に代表される、吸入弁Ｖからの内溶液が導入される。また、ボディ本体６ａには、延長流路部６ｃが一体に設けられている。
【００１８】
また、シリンダ６ｂの内側には、ピストン７が配置されている。ピストン７は、シリンダ６ｂとの間にポンプ室Ｃ2を形成する。ピストン７は、レバー８の牽曳及び復帰の繰り返しによって動作する。ピストン７は、フック部７ａによって、レバー８に設けた軸部８ｓに対して回転可能に支持されている。また、レバー８は、延長流路部６ｃに設けられた軸部６ｓを介してボディ６に対して回動可能に保持されている。
【００１９】
レバー８とボディ６との間には、レバー８の牽曳に対する復元力を与える付勢部材９が配置されている。付勢部材９は、ボディ６に固定される固定部９ａを有し、この固定部９ａと一体に繋がる弾性片９ｂによってレバー８を牽曳可能な初期位置に付勢する。
【００２０】
レバー８には更に、延長流路部６ｃを通す開口部Ａ3が形成されている。延長流路部６ｃの先端には、ノズル１０が固定されている。ノズル１０は、延長流路部６ｃと共に、流路ｒ1を外界に通じさせる通路ｒ2を形成する。ノズル１０の先端には、内溶液を噴出させるための噴出口Ａ4が形成されている。ノズル１０の先端内側には、内溶液を噴霧させるためのエレメント１３が設けられている。なお、レバー８には、八角形状の複数の滑り止めが設けられているが、図では省略する。
【００２１】
ボディ６は、その肩部６ｄで、口部上端５ｅとの間にシール部材２０を挟んで封止する。肩部６ｄには、口部上端５ｅに形作られた開口部Ａ1を通して充填空間Ｃ1を外界に通じさせる貫通孔（以下、「空気置換孔」）Ａ5が設けられている。空気置換孔Ａ5は、肩部６ｄに一体に設けられた封止栓１１によって密封されている。
【００２２】
封止栓１１は、薄肉部１２を介して肩部６ｄに一体に設けた本体（以下、「封止栓本体」）１１ａを有する。薄肉部１２は、一定以上の外力が加わることで切断することできる。また、封止栓１１の上端部は、摘み部１１ｂとして一体に構成されている。摘み部１１ｂには、突起で構成された滑り止め部１１ｃが設けられている。滑り止め部１１ｃは、突起で取り囲まれた内側部分１１ｓが指先にフィットするように構成されている。これにより、図４の状態から摘み部１１ｂを持って薄肉部１２を切断すれば、封止栓１１が肩部６ｄから取り外されることで、空気置換孔Ａ5は、図５に示すように、開口部Ａ1を通して充填空間Ｃ1を外界に開放する。
【００２３】
更に、シール部材２０は、図６に示すように、その内周縁２１が口部上端５ｅから開口部Ａ1の内側に延在している。即ち、シール部材２０の内周縁２１は、口部上端５ｅを基点に、変形及び復元の可能な環状の弾性片（以下、「弾性弁」）として構成されている。これにより、弾性弁２１は、口部上端５ｅを基点に、空気置換孔Ａ5を開閉可能に閉じることができる。
【００２４】
本形態によれば、ボディ６に形成した空気置換孔Ａ5は、流通段階などの未使用においては、図４に示すように、封止栓１１で封止されていることから、容器本体２の充填空間Ｃ1が外界に開放されることがない。
【００２５】
また、使用開始時においては、ボディ６から封止栓１１をもぎり取ることで、図５に示すように、ボディ６に空気置換孔Ａ5を形成することできる。しかも、シール部材２０の内周縁を開口部Ａ1の内側に延在させて環状の弾性弁２１を形成し、当該弾性弁２１で空気置換孔Ａ5を開閉可能に閉じているので、封止栓１１をもぎり取っただけでは、依然として、充填空間Ｃ1が外界に開放されることがない。
【００２６】
これに対し、容器本体２に装着されたポンプユニットＰは、レバー８の牽曳及び復帰の繰り返しによって、ピストン７が動作することで、ポンプ室Ｃ2に吸入されて加圧された内溶液は、通路ｒ1,ｒ2を通して噴出口Ａ4から噴霧される。このように、内容物を噴霧させるのに伴い充填空間Ｃ1内の圧力が低下すれば、その負圧によって、シール部材２０の内周縁で構成された環状の弾性片２１が変形して空気置換孔Ａ5を開くことで、外界との空気置換を行うことができる。しかも、外界との空気置換によって、充填空間Ｃ1内の圧力が上昇すれば、弾性片２１の復元が復元して空気置換孔Ａ5を閉じることで、再び、充填空間Ｃ1が外界に開放されることがない。なお、図６において、符号１６は、充填空間Ｃ1から内溶液を吸入するための吸入パイプである。
【００２７】
このように、本形態によれば、容器本体２の充填空間Ｃ1が常時外界に開放されることなく、密閉性に優れることで、内容物の噴出も良好なものとなる。また、封止栓１１は、その存在の有無によって、未使用状態を確認することができる。
【００２８】
また、本形態では、ボディ６には、摘み部１１ｂを配置する凹部ｎが設けられている。凹部ｎは、ボディ本体６ａの上端部分６ａ1を通路ｒ1側に窪ませることで構成されている。この場合、摘み部１１ｂが邪魔になり難くなることで、誤ってもぎ取られることを防止するのに有効である。また、摘み部１１ｂをボディ６の一部として収納された状態となることで、全体としてすっきりとした印象を与える。
【００２９】
更に、本形態では、封止栓本体１１ａは、切断可能な複数の連結片１５を介してボディ本体６ａに一体に連結されている。この場合、封止栓１１が容易にもぎ取られることがないため、誤ったもぎ取りの防止に更に有効である。
【００３０】
本発明に従えば、ボディ６は、口部５に対して、別体のリングキャップを介して連結することできるが、本形態では、口部５に装着するための装着部６ｅを一体に設けている。装着部６ｅは、口部５に螺合するものや、アンダーカット嵌合するもの等、口部５に対する装着方法はこれに限定されるものではない。装着部６ｅを一体に設ける場合、ボディ６と口部５との間を効果的に密封することで、更に良好な噴出を実現できる。
【００３１】
上述したところは、本発明の一形態を示したにすぎず、特許請求の範囲において、種々の変更を加えることができる。例えば、封止栓１１は、板状のものに限らず、棒状のものなど、その形状は適宜選択できる。また、ボディ本体６ａに設けた凹部ｎは、摘み部１１ｂの位置に合せて適宜、変更することができる。更に、凹部ｎは、封止栓１１の形状や機能を優先して省略することもできる。
【産業上の利用可能性】
【００３２】
本発明は、容器本体の口部上端との間が環状のシール部材を介して封止されるボディを有し、当該ボディのシリンダに配置されたピストンを、レバーの牽曳及び復帰の繰り返しによって動作させ、注出口から内容物を噴出させるトリガー式液体噴出容器であれば、内容物を霧状に噴出させるものに限定されることなく、泡状に噴出させるものにも適用することができる。
【符号の説明】
【００３３】
１      トリガー式噴霧容器
２      容器本体
３      胴部
４      肩部
５      口部
５ｅ    口部上端
６      ボディ
６ａ    ボディ本体
６ｂ    シリンダ
６ｃ    延長流路部
６ｄ    肩部
６ｅ    装着部
７      ピストン
８      レバー
８ｓ    軸部
９      付勢部材
９ａ    固定部
９ｂ    弾性片
１０    ノズル
１１    封止栓
１１ａ  封止栓本体
１１ｂ  摘み部
１１ｃ  滑り止め部
１２    薄肉部
１３    噴霧エレメント
１５    連結片
１６    吸入パイプ
２０    環状のシール部材
２１    弾性弁
Ｐ      ポンプユニット
【図１】
0005545763.tif 000002
【図２】
0005545763.tif 000003
【図３】
0005545763.tif 000004
【図４】
0005545763.tif 000005
【図５】
0005545763.tif 000006
【図６】
0005545763.tif 000007
【図７】
0005545763.tif 000008